(57)【要約】【課題】表示部に補助入力機能であるタッチスクリーン部を有する携帯情報端末の表示・タッチスクリーン部の開閉状態にあわせて、表示部だけでなくタッチスクリーン部への電源供給を制御する手段を提供することで、携帯情報端末の省電力機能を強化することを目的とする。【解決手段】シリアル通信によってデータ伝送する入力装置であるタッチスクリーン部と、ＬＣＤパネルを含む表示部とで構成され、開閉可能に携帯情報端末本体部に取り付けられた表示・タッチスクリーン部１２と、表示・タッチスクリーン部に電力供給する電源を制御する電源マイコンと１０３を備え、電源マイコンは表示・タッチスクリーン部の開閉に基づいて電力供給することを特徴とする携帯情報端末である。【選択図】図１
2007311849.tif 000002
【特許請求の範囲】
【請求項１】
シリアル通信によってデータ伝送する入力装置であるタッチスクリーン部と、ＬＣＤパネルを含む表示部とで構成され、開閉可能に携帯情報端末本体部に取り付けられた表示・タッチスクリーン部と、
前記表示・タッチスクリーン部に電力供給する電源を制御する電源マイコンと、
を備え、
前記電源マイコンは前記表示・タッチスクリーン部の開閉に基づいて当該表示・タッチスクリーン部に電力供給することを特徴とする携帯情報端末。
【請求項２】
前記シリアル通信はＵＳＢ（Ｕｎｉｖｅｒｓａｌ  Ｓｅｒｉａｌ  Ｂｕｓ）規格であることを特徴とする請求項１に記載の携帯情報端末。
【請求項３】
前記携帯情報端末の本体部には
ＵＳＢ規格による機器を制御するＵＳＢコントローラと、
前記ＵＳＢタッチスクリーンと前記ＵＳＢコントローラとの通信信号をオン／オフするバススイッチとを備え、
前記電源マイコンは前記表示・タッチスクリーン部の開閉に基づいて前記バススイッチをオン／オフすることを特徴とする請求項２に記載の携帯情報端末。
【発明の詳細な説明】
【技術分野】
【０００１】
本発明はタッチスクリーン等の補助入力装置を備える携帯情報端末における省電力機能に関するものである。
【背景技術】
【０００２】
従来のノート型携帯情報端末が備えるタッチスクリーン等の補助入力装置は、ＰＳ／２やＲＳ−２３２Ｃシリアル等のインターフェイスにより接続されていた。
【０００３】
図３は携帯情報端末のひとつであるノート型パ−ソナルコンピュータ（ノートパソコン）の概略例図である。
【０００４】
図３（ａ）において１１はノートパソコン本体部、１２はＬＣＤパネル、ＬＣＤパネル駆動回路で構成される表示部と補助入力装置であるタッチスクリーン部から成る表示・タッチスクリーン部である。１３は入力ペンであり、ユーザは入力ペン１３を用いて表示・タッチスクリーン部１２の入力操作をする位置を指示する。
【０００５】
ノートパソコンを使用しないときは表示・タッチスクリーン部１２を閉じて鞄などに収納する。図３（ｂ）のように表示・タッチスクリーン部１２を閉じることでＬＣＤパネルを背面から照光しているバックライトはオフする。図３（ｃ）は表示・タッチスクリーン部１２を閉じた状態を示す。
【０００６】
図４は、携帯情報端末において補助入力装置を従来のＰＳ／２インターフェイスで接続した形態を示すものである。
【０００７】
図４において、従来技術による携帯情報端末は、ＬＣＤパネル１０４、ＬＣＤパネル駆動回路（図示せず）とＰＳ／２タッチスクリーン２０２とで構成された補助入力機能を有する表示・タッチスクリーン部１２と、それ以外のバックライト制御部１０３Ａを含む電源マイコン１０３と、電源ユニット１０５、ＰＳ／２コントローラ２０１から成る。
【０００８】
ＰＳ／２タッチスクリーン２０２はＰＳ／２コントローラ２０１にＰＳ／２インターフェイスで接続され、ＰＳ／２タッチスクリーン２０２への電源は電源ユニット１０５から電源マイコン１０３を経由して電源ライン２１２により常に供給される。
【０００９】
なお、図４において、補助入力装置のインターフェイスとしてＰＳ／２インターフェイスを用いたが、ＲＳ−２３２Ｃシリアルインターフェイスとしても良い。
【００１０】
また、タッチスクリーン２０２が装着されたＬＣＤパネル１０４等から成る表示・タッチスクリーン部１２の省電力機能として、表示・タッチスクリーン部１２を閉じた時にＬＩＤ信号１１０が電源マイコン１０３に伝えられ、電源マイコンのバックライト制御部１０３Ａがバックライト電源ライン１１１を制御することによりＬＣＤパネルの液晶バックライトを消灯するものがある。（ＬＩＤ信号：表示・タッチスクリーン部１２の開閉信号）
図５は、ＬＩＤ信号１１０によるバックライト制御部１０３Ａの液晶バックライト制御フローを示す。
【００１１】
図５においてバックライト制御部１０３Ａでは表示・タッチスクリーン部が開であれば（Ｓ２１）、ＬＣＤパネルのバックライトを点灯し（Ｓ２２）、表示・タッチスクリーン部が閉であれば（Ｓ２１）、ＬＣＤパネルのバックライトを消灯する（Ｓ２３）ように制御する（Ｓ２４）。
【特許文献１】特開平１０−１４３２９２号公報
【発明の開示】
【発明が解決しようとする課題】
【００１２】
しかしながら、上記従来の構成では、補助入力装置がＯＳ動作中に動的に電源制御を行えないＰＳ／２やＲＳ−２３２Ｃシリアル等のインターフェイスにより接続されているため、表示・タッチスクリーン部を閉じた時にＬＣＤパネルのバックライトは消灯できても、タッチスクリーン部への電源供給は継続されるという課題を有していた。
【００１３】
本発明は、上記従来の課題を解決するもので、表示・タッチスクリーン部の開閉状態にあわせて、表示・タッチスクリーン部への電源供給を制御する手段を提供することで携帯情報端末の省電力機能を強化することを目的とする。
【課題を解決するための手段】
【００１４】
上記従来の課題を解決するために、本発明の携帯情報端末は、表示・タッチスクリーン部の開閉にあわせて電源マイコンによりＵＳＢタッチスクリーンへの電源供給およびＵＳＢコントローラのバス接続状態を制御する手段を有し、表示・タッチスクリーン部を閉じた時にＵＳＢタッチスクリーンを電源オフし、ＵＳＢコントローラのバス接続を切断して擬似的に抜かれた状態にする。
【００１５】
本構成によって、表示・タッチスクリーン部を閉じることでＵＳＢタッチスクリーンが不要となった場合の消費電力を抑制する。
【発明の効果】
【００１６】
本発明の携帯情報端末によれば、表示・タッチスクリーン部の開閉にあわせてＵＳＢタッチスクリーンの電源供給をＯＳ上で動的に制御することができる。
【００１７】
また、本発明の携帯情報端末では、表示・タッチスクリーン部を閉じた時にタッチスクリーン部の機能も停止することから、表示・タッチスクリーン部と携帯情報端末本体との間に紙などを挟み込んだ場合やタッチスクリーン自体の動作感度による誤動作を防止することができる。
【発明を実施するための最良の形態】
【００１８】
以下本発明を実施するための最良の形態について、図面を参照しながら説明する。
【００１９】
（実施の形態）
図１は、本発明の実施の形態における携帯情報端末の補助入力装置の構成を示す図である。
【００２０】
図１において、本実施の形態の携帯情報端末は、ＬＣＤパネル１０４、ＬＣＤパネル駆動回路（図示せず）とＵＳＢタッチスクリーン１０２とで構成された補助入力機能を有する表示・タッチスクリーン部１２と、それ以外のバックライト制御部１０３Ａ、ＵＳＢ制御部１０３Ｂを含む電源マイコン１０３と、電源ユニット１０５、ＵＳＢコントローラ１０１から成る。
【００２１】
なお、図４と同じ構成要素については同じ符号を用い、説明を省略する。
【００２２】
図１において、ＵＳＢ（Ｕｎｉｖｅｒｓａｌ  Ｓｅｒｉａｌ  Ｂｕｓ）を使用したタッチスクリーン１０２はＵＳＢコントローラ１０１にＵＳＢインターフェイスで接続され、ＵＳＢタッチスクリーン１０２への電源は電源ユニット１０５から電源マイコン１０３のＵＳＢ制御部１０３Ｂを経由して電源ライン１１２により供給される。
【００２３】
電源マイコン１０３のＵＳＢ制御部１０３Ｂは、表示・タッチスクリーン部１２のＬＩＤ信号１１０が入力され、ＵＳＢコントローラ１０１とＵＳＢタッチスクリーン１０２間のバス接続を制御するＵＳＢバススイッチ１１３を備える。
【００２４】
このような構成によれば、ＵＳＢ制御部１０３ＢはＬＩＤ信号１１０に連動して電源ライン１１２を制御してＵＳＢタッチスクリーン１０２への電源を入り切りし、あわせてＵＳＢバススイッチ１１３によりＵＳＢコントローラ１０１とＵＳＢタッチスクリーン１０２のバス接続を入り切りすることにより、表示・タッチスクリーン部１２を閉じた時にＵＳＢタッチスクリーン１０２は電源オフとなり、ＵＳＢタッチスクリーン１０２はＯＳ上でデバイスが抜かれた機能停止の状態とすることができる。
【００２５】
図２は、ＬＩＤ信号１１０によるＵＳＢ制御部１０３ＢのＵＳＢデバイスの制御フローを示す。
【００２６】
図２においてＵＳＢ制御部１０３Ｂでは表示・タッチスクリーン部が開であれば（Ｓ１１）、ＵＳＢタッチスクリーンの電源をオンし、このときＬＣＤパネルのバックライトも点灯する（Ｓ１２）。続いてＵＳＢバススイッチ１１３によりＵＳＢコントローラのバス接続する（Ｓ１３）。表示・タッチスクリーン部が閉であれば（Ｓ１１）、ＵＳＢバススイッチ１１３によりＵＳＢコントローラのバスを切断し（Ｓ１４）、続いてＵＳＢタッチスクリーンの電源をオフし、このときＬＣＤパネルのバックライトも消灯する（Ｓ１５）ように制御する（Ｓ１６）。
【００２７】
以上のように本実施の形態による携帯情報端末によれば、表示・タッチスクリーン部の開閉にあわせてＵＳＢタッチスクリーンの電源供給をＯＳ上で動的に制御することができる。
【００２８】
また、本発明の携帯情報端末では、表示・タッチスクリーン部１２を閉じた時にタッチスクリーンの機能が停止することから、表示・タッチスクリーン部１２と携帯情報端末本体との間に紙などを挟み込んだ場合やタッチスクリーン自体の動作感度による誤動作を防止することができる。
【００２９】
なお、本来ＵＳＢにはホスト機であるパソコンより電源供給する端子が備わっており、パソコンとＵＳＢマウスのような外部機器とをＵＳＢ接続するようにＵＳＢタッチスクリーン１０２を制御してもよい。つまり図６に示すようにＵＳＢタッチスクリーン１０２への電源供給を電源ユニット１０５、ＵＳＢコントローラ１０１、ＵＳＢバススイッチ１１３を介して制御することで、パソコンとＵＳＢで接続する外部機器のように取り扱うことができる。このときＵＳＢ制御部１０３Ｂは、ＵＳＢタッチスクリーン１０２を動作させる場合にはＵＳＢバススイッチ１１３はで電源ラインを先に接続後、遅れて信号線を接続し、逆にＵＳＢタッチスクリーン１０２の動作を停止する場合には信号線を先に切断し、遅れて電源ラインを切断するように制御することが肝要である。
【産業上の利用可能性】
【００３０】
本発明にかかる携帯情報端末は、表示・タッチスクリーン部の開閉にあわせてＯＳ上でＵＳＢタッチスクリーンの電源供給を動的に制御することが可能になるので、タッチスクリーン等の補助入力装置を備える携帯情報端末における省電力機能等として有用である。
【図面の簡単な説明】
【００３１】
【図１】本発明の実施の形態における携帯情報端末の補助入力装置を示すブロック図
【図２】本発明の実施の形態におけるＵＳＢデバイスの制御フローチャート
【図３】ノート型パ−ソナルコンピュータの概略例図
【図４】従来の携帯情報端末の補助入力装置を示すブロック図
【図５】従来の携帯情報端末における液晶バックライトの制御フローチャート
【図６】本発明の別の実施形態における携帯情報端末の補助入力装置を示すブロック図
【符号の説明】
【００３２】
１１  ノートパソコン本体部
１２  表示・タッチスクリーン部
１３  入力ペン
１０１  ＵＳＢコントローラ
１０２  ＵＳＢタッチスクリーン
１０３  電源マイコン
１０３Ａ  バックライト制御部
１０３Ｂ  ＵＳＢ制御部
１０４  ＬＣＤパネル
１０５  電源ユニット
１１０  ＬＩＤ信号
１１１  バックライト電源ライン
１１２  電源ライン（ＵＳＢタッチスクリーン）
１１３  ＵＳＢバススイッチ
２０１  ＰＳ／２コントローラ
２０２  ＰＳ／２タッチスクリーン
２１２  電源ライン（ＰＳ／２タッチスクリーン）
【図１】
2007311849.tif 000003
【図２】
2007311849.tif 000004
【図３】
2007311849.tif 000005
【図４】
2007311849.tif 000006
【図５】
2007311849.tif 000007
【図６】
2007311849.tif 000008